(57)【要約】【課題】使用を重ねても、使いはじめと同じように可動書棚の移動に従って前蓋板を円滑に動作させることができることが可能な本棚を提供するものである。【解決手段】レール２１を備えた基台１５と、基台１５のレール２１上を走行するキャスタ１９、２０を備えた物品収納体３と、裏面に基台１５側のレール２１に連結可能な延長レール２２を備えた物品収納体の前蓋板９と、前蓋板９と基台１５とを蝶着し、物品収納体３の前方を開閉するように基台１５に対して前蓋板９を回動可能にする蝶番手段１６と、蝶番手段１６を介して前蓋板９が閉じる方向に付勢する付勢部材１７と、物品収納体３と前蓋板９を繋いで設けられ、物品収納体３と前蓋板９の動きに応じて動いて前蓋板９を支持する支持部材１８とを含む。【選択図】図６
2011030877.tif 000002
【特許請求の範囲】
【請求項１】
レールを備えた基台と、
前記基台のレール上を移動するキャスタを備えた物品収納体と、
裏面に前記基台側のレールに連結可能な延長レールを備えた前記物品収納体の前蓋板と、
前記前蓋板と前記基台とを蝶着し、前記物品収納体の前方を開閉するように前記基台に対して前記前蓋板を回動可能にする蝶番手段と、
前記蝶番手段を介して前記前蓋板が閉じる方向に付勢する付勢部材と、
前記物品収納体と前記前蓋板を繋いで設けられ、前記物品収納体と前記前蓋板の動きに応じて動いて前記前蓋板を支持する支持部材と
を有することを特徴とする物品収納具。
【請求項２】
前記支持部材は、一方の端部同士を屈曲自在に連結する２つの細長状部材を有することを特徴とする請求項１記載の物品収納具。
【請求項３】
前記支持部材は、上側にのみ屈曲するようになっていることを特徴とする請求項２記載の物品収納具。
【請求項４】
前記支持部材には、一方の前記板状部材には前記連結部の近傍に突起部が設けられ、他方の前記板状部材には前記突起部が嵌入する凹部が設けられていることを特徴とする請求項３記載の物品収納具。
【請求項５】
前記支持部材は、一端が前記前蓋板に取り付けられ、長穴を備えた細長状部材と、前記物品収納体に設けられ、前記長穴にスライド係合する凸状部材を有することを特徴とする請求項１記載の物品収納具。
【請求項６】
前記付勢部材は、前記蝶番手段に取り付けられたコイルばねであることを特徴とする請求項１乃至５のいずれか１項に記載の物品収納具。
【請求項７】
請求項１乃至６のいずれか１項に記載の物品収納具が１以上、前方が開放された筐体に収納されていることを特徴とする物品収納家具。
【請求項８】
前記物品収納体に設けたスライドレールと、該スライドレールに係合するように前記筐体に設けたスライドレールとを有する請求項７記載の物品収納家具。
【発明の詳細な説明】
【技術分野】
【０００１】
本発明は、物品収納具および物品収納家具に関する。
【背景技術】
【０００２】
従来より、多くの本をできるだけコンパクトに収納できるようにした、スライド書棚と呼ばれているものがある。この書棚は、固定書棚と、固定書棚の前で横方向にスライドする書棚の２段構成となっている。しかし、この種のスライド書棚は、横幅が広いため、横に広い設置場所を必要とする。また、外から書籍が見えるので、他の家具との調和が取れにくい。
【０００３】
このような点をさらに改善するため、下記文献に記載されているような書棚が提案された。この書棚では、可動書棚を、側面を前にして筐体底部の基台上に収容し、かつ前方を前蓋板で閉じている。可動書棚と前蓋板との間はばね等の弾性部材で接続されており、可動書棚を基台上に収容しているとき、前蓋板が開かないようにばね（弾性部材）が伸びてかなり大きい弾性力で前蓋板を引っ張っている。一方、可動書棚は引き出せるようになっており、可動書棚を前方に移動させて前蓋板を基台の前に倒し、さらに前蓋板裏面上及び基台上に設けられているレールの上で可動書棚を移動させて前蓋板裏面上に移行させることができる。そして、可動書棚を前蓋板裏面上に引き出だした状態から基台上に収容する場合は、そのばねの張力を利用し、基台方向への可動書棚の動きに連動させて前蓋板を引っ張り上げ、前蓋板を閉じるようにしている。
【先行技術文献】
【特許文献】
【０００４】
特開２００７−０９７７９８号公報
【発明の概要】
【発明が解決しようとする課題】
【０００５】
ところで、この従来の例では、弾性部材の張力が強すぎると、前蓋板が急激に引っ張り上げられて筐体に大きな衝撃を与え、また、弱すぎると、可動書棚を収容しているとき前蓋板が半開きになるなど、前蓋板を円滑に動作させるようにするための弾性部材の張力の調整が難しい。
【０００６】
また、使いはじめに弾性部材の張力を最適に調整したとしても、使用するうちに、その張力が弱くなって前蓋板を円滑に動作させることができなくなる恐れがある。
【０００７】
本発明は、上述の問題点に鑑みて創作されたものであり、使用を重ねても、使いはじめと同じように、可動書棚の移動に従って前蓋板を円滑に動作させることができる書棚及びその他の物品収納具及び物品収納家具を提供するものである。
【課題を解決するための手段】
【０００８】
上記課題を解決するため、本発明の一観点によれば、レールを備えた基台と、前記基台のレール上を走行するキャスタを備えた物品収納体と、裏面に前記基台側のレールに連結可能な延長レールを備えた前記物品収納体の前蓋板と、前記前蓋板と前記基台とを蝶着し、前記物品収納体の前方を開閉するように前記基台に対して前記前蓋板を回動可能にする蝶番手段と、前記蝶番手段を介して前記前蓋板が閉じる方向に付勢する付勢部材と、前記物品収納体と前記前蓋板を繋いで設けられ、前記物品収納体と前記前蓋板の動きに応じて動いて前記前蓋板を支持する支持部材とを有することを特徴とする物品収納具が提供される。
【０００９】
例えば、物品収納体が基台上に完全に収容されているとき、支持部材が最大限に引き伸ばされた状態にあるとする。この状態から物品収納体をレール上で前方に引き出していくと、物品収納体が付勢部材の付勢力に抗して前蓋板を押し倒しつつ前に進む。物品収納体がある程度前進したところで、前側キャスタが前蓋板裏面上に乗り、物品収納体の重量が前蓋板に掛かるため、前蓋板がいっぱいに倒れる。この間、支持部材は可動書棚と前蓋板相互の動きに応じて動く。その後、前蓋板裏面上に物品収納体全体を引き出す。この間も、支持部材は物品収納体の動きに従って動く。次に、物品収納体を基台上に収容するときは、前蓋板裏面のレール上で物品収納体を基台の方に押し戻していくと、物品収納体が基台上に完全に収容される少し手前で物品収納体の重量が前蓋板に掛からなくなる。これによって、前蓋板が付勢部材により付勢されて物品収納体の前方を閉じるように回動し始めるので、さらに物品収納体を後退させていくと前蓋板もそれに連れて立ってくる。物品収納体全体が基台上に収容されると前蓋板が閉じて、最初の収容状態に戻る。この状態では、支持部材は、前蓋板を支持している。支持部材は、ばねなどの弾性部材と異なり、使用を重ねても前蓋板を支持する力は弱くならず、有用である。
【００１０】
このように、付勢部材と支持部材とが協働することで、可動書棚の移動に応じて前蓋板を円滑に動作させることができる。
【００１１】
また、本発明の他の一観点によれば、上述の物品収納具が１以上、前方が開放された筐体に収納された物品収納家具が提供される。
【００１２】
その物品収納家具においては、物品収納体の前方が前蓋板で覆われているので、タンスなどの一般家具と見分けがつかず、このため、物品収納家具を一般家具と並べて配置しても、外観上調和を保つことができる。
【発明の効果】
【００１３】
本発明の一観点の物品収納具によれば、物品収納体の前方を閉じる方向に前蓋板を付勢する付勢部材と、前蓋板を支持する支持部材とが協働することで、使用を重ねてもいつまでも使いはじめと同じように、可動書棚の移動に応じて前蓋板を円滑に動作させることができる。
【００１４】
また、本発明の他の一観点の物品収納家具によれば、物品収納家具を一般家具と並べて配置しても、外観上調和を保つことができるので、配置の自由度が増し、使い勝手が良い。
【図面の簡単な説明】
【００１５】
【図１】本発明の第１の実施形態に係る書棚の可動書棚を収納した状態を示す斜視図である。
【図２】本発明の第１の実施形態に係る書棚の可動書棚が前方に引き出す途中の状態を示す斜視図である。
【図３】本発明の第１の実施形態に係る書棚の可動書棚が完全に前方に引き出された状態を示す斜視図である。
【図４】本発明の第１の実施形態に係る書棚の可動書棚に用いる蝶番及び付勢部材について示す図で、（ａ）は側面図であり、（ｂ）は上面図である。
【図５】本発明の第１の実施形態に係る書棚の可動書棚に用いる支持部材について示す図で、（ａ）は上面図であり、（ｂ）は側面図である。
【図６】本発明の第１の実施形態に係る書棚の可動書棚の動作を示す側面透視図（その１）である。
【図７】本発明の第１の実施形態に係る書棚の可動書棚の動作を示す側面透視図（その２）である。
【図８】本発明の第１の実施形態に係る書棚の可動書棚の動作を示す側面透視図（その３）である。
【図９】本発明の第１の実施形態に係る書棚の可動書棚の動作を示す側面透視図（その４）である。
【図１０】本発明の第２の実施形態に係る書棚の可動書棚に用いる支持部材について示す側面図である。
【図１１】本発明の第２の実施形態に係る書棚の可動書棚の動作を示す側面透視図（その１）である。
【図１２】本発明の第２の実施形態に係る書棚の可動書棚の動作を示す側面透視図（その２）である。
【図１３】本発明の第２の実施形態に係る書棚の可動書棚の動作を示す側面透視図（その３）である。
【図１４】本発明の第３の実施形態に係る台所用品収納棚を示す斜視図である。
【図１５】本発明の第４の実施形態に係る履物収納具を示す斜視図である。
【発明を実施するための形態】
【００１６】
以下に、物品収納家具の一例としての本発明の実施形態に係る書棚について図面を参照しながら説明する。
【００１７】
（１）本発明の第１の実施形態に係る書棚についての説明
書棚１には、図１に示すように、３つの可動書棚（物品収納具）３、４、５が側板を書棚１の前側に向けるようにして並列に並んで筐体２中に収納されている。なお、書棚１の向きと一致させるため、以降、可動書棚３、４、５の側板のある側を可動書棚３、４、５の前側乃至前面と称し、可動書棚３、４、５から書物を取り出す側及びその背側を可動書棚３、４、５の側部乃至側面と称する。
【００１８】
可動書棚３には、可動書棚３を引き出すために手を挿し入れる引出し用窪み６が可動書棚３の前面中央に形成されている。可動書棚４、５にも同様な引出し用窪み７、８が形成されている。
【００１９】
また、書棚１の前の下の方には、各可動書棚３、４、５ごとに前蓋板９、１０、１１が設けられている。各前蓋板９、１０、１１は各可動書棚３、４、５ごとに開閉可能で、可動書棚３、４、５が筐体２中に収納されているときは閉じている。
【００２０】
このような構成により、可動書棚３、４、５が外から見えないようにし、外観上、書棚であることが分からないようになっている。
【００２１】
書棚１がこの状態にあると、タンスなどの一般家具と見分けがつかないため、本発明の第１の実施形態に係る書棚を一般家具と並べて配置しても、外観上調和を保つことができる。これにより、配置の自由度が増し、使い勝手が良い。
【００２２】
可動書棚３を前方に少しだけ引き出した状態は、図２に示しており、可動書棚３全体をほぼ引き出した状態は、図３に示している。
【００２３】
（２）本発明の第１の実施形態に係る可動書棚の構成と動作についての説明
次に、図４〜図９を参照しながら、可動書棚３の構成と動作について説明する。
【００２４】
図６は、可動書棚３全体が書棚１に収容された状態を示す側面透視図である。可動書棚３は、図６に示すように、通常、筐体２中に収納されており、前蓋板９が立った状態で書棚１の前方を閉じ、可動書棚３を覆っている。
【００２５】
前蓋板９は、筐体２の基台１５に蝶番１６により蝶着され、かつ、蝶番１６にはコイルばね（付勢部材）１７が取り付けられている。蝶番１６とコイルばね１７の構成を図４に示す。図４では、コイルばね１７は両端のコイルだけを描いているが、一点鎖線で表示された部分にもコイルが存在し、両端のコイルと一体的に形成されている。そのコイルばね１７によって、前蓋板９は書棚１の前方を閉じる方向に付勢されている。なお、付勢部材１７として、コイルばねの代わりに、同様な機能をもつ他の部材を用いてもよい。
【００２６】
また、可動書棚３と前蓋板９を繋ぐ支持部材１８を有する。支持部材１８は、一端が可動書棚３の側面の後部下方に取り付けられ、他端が前蓋板９の端部下方に取り付けられている。支持部材１８の構成を図５に示す。支持部材１８は、例えば金属性の２つの細長い板状部材１８ａ、１８ｂの各片端部同士を連結して構成され、連結部１８ｃで各板状部材１８ａ、１８ｂが回動するように止められている。なお、回動とは、時計回り及び反時計回りいずれにも回転自在という意味である。細長い板状部材１８ａ、１８ｂの代わりに、細長い棒状部材を用いてもよい。図５に示す左側の板状部材１８ａには、連結部１８ｃよりも先端寄りに突起１８ｄが設けられ、図５に示す右側の板状部材１８ｂには、その突起１８ｄが嵌入する凹部１８ｅが設けられている。その構成により、支持部材１８は連結部１８ｃを介して屈曲自在であるが、突起１８ｄが凹部１８ｅに嵌入したとき屈曲は停止する。即ち、支持部材１８が一方向（図５では上側）にだけ屈曲することができるようになっている。図中、符号１８ｆ、１８ｇはそれぞれ、支持部材１８の両端に形成された穴（固定部）で、支持部材１８を前蓋板９及び可動書棚３に固定するために鋲など止め具などを通す。
【００２７】
支持部材１８は、筐体２に完全に収容された可動書棚３と完全に閉じた前蓋板９に、最大限に引き伸ばされた状態で取り付けられ、かつ、上側にのみ折れ曲がり、下側には折れ曲がらないように取り付けられる。これにより、可動書棚３の移動中、支持部材１８が上側にのみ屈曲するため、支持部材１８の屈曲動作が円滑になり、それによって、支持部材１８が取り付けられた可動書棚３や前蓋板９の動きも円滑になる。
【００２８】
なお、支持部材１８は金属製のものが用いられているが、強度が十分であればその他の材料を用いてもよい。また、支持部材１８の長さと、可動書棚３と前蓋板９への取り付け位置は適宜調整することができる。支持部材１８を構成する各板状部材１８ａ、１８ｂも両方同じ長さにするだけでなく、相互に異なる長さにしてもよい。
【００２９】
可動書棚３を基台１５上から引き出すときは、図６に示すような、可動書棚３を書棚１に完全に収容した状態から、手動で可動書棚３を引き出す。可動書棚３の前方への移動に伴い、可動書棚３の前側キャスタ１９と後側キャスタ２０が、基台１５上に形成された金属製のレール２１上を回転して進んでいくとともに、可動書棚３の前側下部が付勢部材１７の付勢力に抗して前蓋板９を前方に押し、これによって前蓋板９が回動して倒れていく。レール２１の断面は凹部状となっており、両側のキャスタ１９、２０はこの凹部の中を進んでいくので、レール２１から外れたりすることはない。基台１５上には２本のレールが敷かれているが、２本目は図示していない。なお、凹部状のレールの代わりに、凸部状のレールを用いてもよい。この場合、キャスタ１９、２０には、レールとの接触面にレールが入る溝を設ける。
【００３０】
前蓋板９がかなり倒れたところで、前側キャスタ１９が前蓋板９裏面上に形成された延長レール２２上に移行しはじめる。さらに可動書棚３が前進し、図７に示すように、前側キャスタ１９が完全に前蓋板９上に移行したところで、可動書棚３の重量が十分に掛かり前蓋板９がいっぱいに倒れてその裏面が基台１５上面と面一になる。このとき、延長レール２２はレール２１と完全に連結する。
【００３１】
可動書棚３が上述のように移動する間、支持部材１８が最大限に引き伸ばされたときの長さよりも固定部１８ｆ、１８ｇ間の距離が短くなるので、支持部材１８は徐々に折れ曲り、縮んだ状態になる。
【００３２】
引き続いて、可動書棚３を前方に移動させていくと、図８に示すように、可動書棚３の前側キャスタ１９が前蓋板９裏面の前側のストッパ２３に接触して停止する。後側キャスタは、図８では、基台１５上に残るようにしているが、前蓋板９裏面上に乗るようにしてもよい。この間、支持部材１８は可動書棚３の動きに従ってさらに折れ曲り、縮んだ状態になる。
【００３３】
可動書棚３をいっぱいに引き出したとき、可動書棚３は筐体２からほとんど外に出ているので、可動書棚３の書物がどこの場所に格納されていても、容易に見つけ出し、取り出すことができるし、また戻すことができる。
【００３４】
その後、可動書棚３を基台１５上に収容するときは、前蓋板９裏面のレール２２上で可動書棚３を基台１５の方に押し戻していくと、固定部１８ｆと１８ｇの間の距離が次第に長くなり、支持部材１８が引き伸ばされていく。可動書棚３が完全に収容される少し手前で前蓋板９に掛かる可動書棚３の重量が十分でなくなるため、前蓋板９は付勢部材１７により付勢されて可動書棚３の前方を閉じるように回動し始める。さらに可動書棚３を後退させていくと前蓋板９もそれに連れて立ってくる。可動書棚３全体が基台１５上に移行すると可動書棚３の後側キャスタ２０が基台１５後側のストッパ２４に接触して停止するとともに、前蓋板９が閉じ、最初の収容状態となる。このとき、支持部材１８は最大限に引き伸ばされた状態となり、この支持部材１８により前蓋板９が閉じた状態で支持される。特に、支持部材が屈曲自在な部材であるため、ばねなどの弾性部材と異なり、使用を重ねても前蓋板９を支持する力は弱くならない。これにより、使用を重ねてもいつまでも使いはじめと同じように、可動書棚３が基台１５上に収容されているときは前蓋板９が完全に閉じた状態が安定して維持される。
【００３５】
なお、図９の断面図に示すように、ストッパ２４の前方のレール２１は緩やかな凸部２１ａとなるように形成されている。これにより、可動書棚３が筐体２に収容されたとき、キャスタ２０がストッパ２４と凸部２１ａとの間に挟まれるので、可動書棚３がその位置で停止の状態を維持することができる。このため、可動書棚３が不用意に外に動き出すのを防止することができる。ただし、この凸部２１ａの傾斜は、可動書棚３を引き出すときに障害とならない程度に緩やかに形成されている。
【００３６】
可動書棚４、５も、上述した可動書棚３と同様な構成を有し、同様な動作を行う。上述の実施形態では、３列の可動書棚について説明したが、その他の複数列の可動書棚でも或いは１列のみでもよいことは明らかである。また、場合により、筐体２はなくてもよい。
【００３７】
以上のように、この実施形態の書棚によれば、付勢部材１７と支持部材１８とが協働するとともに、その支持部材１８が当初から持つ支持力は、ばねなどの弾性部材と異なり、使用を重ねても弱くなったりしない。このため、いつまでも、使いはじめと同じように可動書棚３の移動に応じて前蓋板９を円滑に動作させることができる。
【００３８】
（３）本発明の第２の実施形態に係る可動書棚の構成と動作についての説明
次に、図１０〜図１３を参照しながら、可動書棚３の構成と動作について説明する。
【００３９】
この実施形態において、第１の実施形態と異なるところは、図５の支持部材１８の代わりにそれとは異なる構造の図１０に示す支持部材２５を用いた点である。他の構成は第１の実施形態と同じである。なお、支持部材２５の構造の違いに応じて可動書棚などへの取り付け方も第１の実施形態と多少異なっている。
【００４０】
図１０は、また、を示す側面図である。支持部材２５は、図１０に示すように、細長い板状の本体25aからなり、本体25aの片端部に穴（固定部）25cが形成され、本体25aの他端部から中央部付近にわたる長穴（スライド部）25bが形成されている。
【００４１】
図１１は、可動書棚３が筐体２中に収納された状態にあるときの可動書棚３の下部を示す側面透視図である。可動書棚３の側面に板材が張られ、可動書棚３の側面の下側前寄りにＴ字形状の頂部を有する凸状部材２６が取り付けられている。支持部材２５は、長穴（スライド部）25bに凸状部材２６が挿入され、穴（固定部）25cを介して前蓋板９の下側で且つ回動自在に前蓋板９に取り付けられる。前蓋板９への取り付け位置は、前蓋板９が立った状態で水平方向に見て凸状部材２６の取り付け位置よりも上側になるようにする。この取り付けにより、支持部材２５は、可動書棚３及び前蓋板９の動きに応じて穴25cを中心に回動するとともに、長穴25bに挿入された凸状部材２６に導かれてスライドする。
【００４２】
可動書棚３を引き出す場合、図１１に示す状態から可動書棚３が前進するとともに、蝶番１６に取り付けられた付勢部材１７の付勢力に抗して前蓋板９が前に倒れていく。支持部材２５は、可動書棚３及び前蓋板９の動きに応じて穴25cを中心に回動するとともに、長穴25bに挿入された凸状部材２６に導かれてスライドする。可動書棚３の前側キャスタ１９が前蓋板９の裏面に完全に載ったときに前蓋板９が完全に倒れて、支持部材２５は、図１２に示すような状態となる。
【００４３】
引き続き、前蓋板９の裏面上を移動させていくと、支持部材２５は、可動書棚３及び前蓋板９の動きに応じて穴25cを中心に回動するとともに、長穴25bに挿入された凸状部材２６に導かれてスライドし、可動書棚３の前側キャスタ１９がストッパ２３により止められて可動書棚３が前蓋板９の裏面上に最大限に引き出されたとき、図１３に示すような状態となる。
【００４４】
逆に、可動書棚３を筐体２に収納する場合、前蓋板９の裏面上で図１３に示すような状態から可動書棚３を押し戻していくと、前蓋板９及び支持部材２５は、可動書棚３を引き出す場合とは逆に動き、最終的に可動書棚３が完全に筐体２に収納される（図１１）。
【００４５】
以上のように、第２の実施形態でも、付勢部材１７と支持部材２５とが協働するとともに、その支持部材２５が当初から持つ支持力は、ばねなどの弾性部材と異なり、使用を重ねても弱くなったりしない。このため、いつまでも、使いはじめと同じように可動書棚３の移動に応じて前蓋板９を円滑に動作させることができる。
【００４６】
（４）本発明の第３の実施形態に係る台所用品収納具についての説明
図１４は、物品収納家具の一例として、本発明の第３の実施形態に係る台所用品収納具３１の全体の構成を説明する斜視図である。
【００４７】
この台所用品収納具３１は、上方に両開き扉３７を備えた収納部を、中ほどに引き出し３６をそれぞれ備え、下方に２列の可動収納体（物品収納具）３３を備えている。可動収納体３３の前方には前蓋板３４が設けられ、裏面に可動収納体３３のキャスタが走行するためのレールが敷かれている。なお、キャスタ及びレールは図示されていない。可動収納体３３の前蓋板３４の開閉は、上述のように、可動収納体３３の動きに応じて可動収納体３３により及び付勢部材により行われる。また、前蓋板３４の支持は支持部材３５を介して行われる。
【００４８】
この台所用品収納具３１の可動収納体３３についても、上述した本発明の実施形態に係る書棚の可動書棚３と実質的に同じ構成を有し、同様な動作を行うので、説明を省略する。なお、図１４に示すように、本発明の実施形態においては、筐体側と可動収納体３３側にスライド用レール３２を設けている。これにより、可動収納体３３の移動方向を規制することができ、より円滑な動作が可能となる。
【００４９】
以上のように、本発明の実施形態に係る台所用品収納具３１によれば、一般家具と並べて配置しても、外観上調和を保つことができるので、配置の自由度が増し、使い勝手が良い。
【００５０】
（５）本発明の第４の実施形態に係る履物収納具についての説明
図１５は、物品収納家具の一例として、本発明の第４の実施形態に係る履物収納具４１の全体の構成を説明する斜視図である。ここでは、支持部材として、図１０に示す支持部材２５を用いている。
【００５１】
この実施形態では、物品収納具は靴やサンダルなど履物の収納棚４３、４４、４５である。履物を置く棚は、図面上で手前が下がるように傾斜して取り付けられている。さらに、棚の手前側の端部の全長にわたり履物が落ちないように細長い角材が設けられている。さらに、可動収納棚４３、４４、４５の下部には、図１１〜図１３と同様に、側面に板材が張られて支持部材２５の長穴25bに挿入される凸状部材２６が取り付けられている。
【００５２】
この履物収納具４１の可動収納棚４３、４４、４５についても、上述した本発明の第２の実施形態に係る書棚の可動書棚３と実質的に同じ構成を有し、同様な動作を行うので、説明を省略する。なお、図１５中、図３中の符号と同じ符号で示すものは図３中のものと同じものを示す。
【００５３】
以上のように、本発明の第４の実施形態に係る履物収納具によれば、可動収納棚４３、４４、４５の出し入れを円滑に行うことができるので、集合住宅などの狭い玄関では特に有用である。
【００５４】
また、履物の収納棚４３、４４、４５を前に引き出すことで、通常の収納棚と異なり、収納棚４３、４４、４５の横側からも履物が見通せるため、履物を整理・整頓して置くことが容易である。
【符号の説明】
【００５５】
１…書棚、２、４２…筐体、３、４〜５…可動書棚、６〜８…引出し用窪み、９〜１１、３４…前蓋板、１５…基台、１６…蝶番、１７…コイルばね、１８、２５、３５…支持部材、１８ａ、１８ｂ…板状部材、１８ｃ…連結部、１８ｄ…突起、１８ｅ…凹部、１８ｆ、１８ｇ、２５ｃ…穴（固定部）、１９…前側キャスタ、２０…後側キャスタ、２１…基台側レール、２２…前蓋板側レール、２３、２４…ストッパ、２５ａ…本体、２５ｂ…長穴（スライド部）、２６…凸状部材、３１…台所用品収納具、３２…スライド用レール、３３…可動収納体、３６…引出し、３７…両開き扉、４１…履物収納具、４３、４４、４５…可動収納棚。
【図１】
2011030877.tif 000003
【図２】
2011030877.tif 000004
【図３】
2011030877.tif 000005
【図４】
2011030877.tif 000006
【図５】
2011030877.tif 000007
【図６】
2011030877.tif 000008
【図７】
2011030877.tif 000009
【図８】
2011030877.tif 000010
【図９】
2011030877.tif 000011
【図１０】
2011030877.tif 000012
【図１１】
2011030877.tif 000013
【図１２】
2011030877.tif 000014
【図１３】
2011030877.tif 000015
【図１４】
2011030877.tif 000016
【図１５】
2011030877.tif 000017